(57)【要約】【課題】  多機能表示をすることができ、時刻を表示する指針の指針軸の長さを短くすることができるモジュールおよびそれを備えた時計を提供する。【解決手段】  指針５が取り付けられた指針軸７を駆動させて指針５を運針させる指針駆動機構部６と、この指針駆動機構部６に対して並列に配置され、かつ情報を表示する第１の表示装置８と、を備えている。従って、指針駆動機構部６の指針軸７の長さが限られた長さであっても、その指針軸７を第１の表示装置８よりも上方に十分な長さで突出させることができる。このため、指針５が厚みの制約を受けずに、指針５を自由な形状に形成することができるので、指針５のデザイン性を向上させることができ、これにより存在感のある指針５を実現することができる。【選択図】        図３
2018021870.tif 000002
【特許請求の範囲】
【請求項１】
指針が取り付けられた指針軸を駆動させて前記指針を運針させる指針駆動機構部と、
前記指針駆動機構部に対して並列に配置され、かつ情報を表示する表示部と、
を備えていることを特徴とするモジュール。
【請求項２】
請求項１に記載のモジュールにおいて、前記指針駆動機構部に対して並列に配置された前記表示部よりも一段高い位置に、前記表示部と重ならない状態で配置された他の表示部を備えていることを特徴とするモジュール。
【請求項３】
請求項１または請求項２に記載のモジュールにおいて、前記指針駆動機構部に対して並列に配置された前記表示部の上方で、かつ前記指針駆動機構部の前記指針の下側に位置した状態で運針する機能針を備えていることを特徴とするモジュール。
【請求項４】
請求項３に記載のモジュールにおいて、前記機能針は、前記指針駆動機構部に対して並列に配置された前記表示部よりも一段高い位置に配置された前記他の表示部に対してほぼ並列に位置する状態で運針することを特徴とするモジュール。
【請求項５】
請求項３または請求項４に記載のモジュールにおいて、前記指針駆動機構部に対して並列に配置された前記表示部の下側には、前記機能針が取り付けられた機能針軸を駆動させて前記機能針を運針させる機能針駆動機構部が配置されていることを特徴とするモジュール。
【請求項６】
請求項５に記載のモジュールにおいて、前記機能針駆動機構部に対して並列に配置された釦型の電池を備えていることを特徴とするモジュール。
【請求項７】
請求項１〜請求項６のいずれに記載のモジュールを備えていることを特徴とする時計。
【発明の詳細な説明】
【技術分野】
【０００１】
この発明は、腕時計、携帯電話機、携帯情報端末機などの電子機器に用いられるモジュールおよびそれを備えた時計に関する。
【背景技術】
【０００２】
例えば、腕時計の時計モジュールにおいては、特許文献１に記載されているように、情報を平面的に表示する表示装置と、この表示装置の上方で指針を運針させる指針駆動機構部と、を備えた構成のものが知られている。
【先行技術文献】
【特許文献】
【０００３】
【特許文献１】特開平８−１２９０７８号公報
【発明の概要】
【発明が解決しようとする課題】
【０００４】
このような腕時計の時計モジュールでは、指針駆動機構部が表示装置の下側に配置されているため、指針が取り付けられる指針駆動機構部の指針軸の長さを長く形成しなければならなく、アナログ時計とデジタル時計の表示機能を持つコンビネーション時計において、指針軸が長くなってしまい、指針軸径に制約がある場合に、十分にその強度を確保することができないという問題がある。
【０００５】
この発明が解決しようとする課題は、多機能表示をすることができ、時刻を表示する指針の指針軸の長さを短くすることができるモジュールおよびそれを備えた時計を提供することである。
【課題を解決するための手段】
【０００６】
この発明は、指針が取り付けられた指針軸を駆動させて前記指針を運針させる指針駆動機構部と、前記指針駆動機構部に対して並列に配置され、かつ情報を表示する表示部と、を備えていることを特徴とするモジュールである。
【発明の効果】
【０００７】
この発明によれば、コンビネーション時計において、指針を運針させる指針駆動機構部の指針軸の長さを短くすることができる。
【図面の簡単な説明】
【０００８】
【図１】この発明を腕時計に適用した一実施形態を示した拡大正面図である。
【図２】図１に示された腕時計に組み込まれた時計モジュールを示した拡大斜視図である。
【図３】図２に示された時計モジュールのＡ−Ａ矢視における要部を示した拡大断面図である。
【図４】図３に示された指針を一部破断して示した拡大斜視図である。
【発明を実施するための形態】
【０００９】
以下、図１〜図４を参照して、この発明を腕時計に適用した一実施形態について説明する。
この腕時計は、図１に示すように、腕時計ケース１を備えている。この腕時計ケース１の１２時側と６時側とには、時計バンド（図示せず）が取り付けられるバンド取付部２がそれぞれ設けられている。また、この腕時計ケース１の２時側、４時側、６時側、８時側、１０時側には、スイッチ部３がそれぞれ設けられている。
【００１０】
この腕時計ケース１の内部には、図２および図３に示すように、時計モジュール４が設けられている。この時計モジュール４は、指針５が取り付けられた指針軸７を駆動させて指針５を運針させる指針駆動機構部６と、この指針駆動機構部６に対して並列に配置された第１の表示装置８と、を備えている。
【００１１】
また、この時計モジュール４は、図２および図３に示すように、第１の表示装置８よりも一段高い位置に配置された第２の表示装置９と、第１の表示装置８の下側に配置され、かつ機能針軸１２に取り付けられた機能針１１を第１の表示装置８の上方で運針させる機能針駆動機構部１０と、をさらに備えている。
【００１２】
この場合、時計モジュール４は、図２および図３に示すように、上部ハウジング１３と中間ハウジング１４と下部ハウジング１５とを備え、中間ハウジング１４と下部ハウジング１５との間に回路基板１６が配置され、上部ハウジング１３の上面に文字板１７が配置されるように構成されている。
【００１３】
上部ハウジング１３は、図２および図３に示すように、そのほぼ中心部から１２時側に位置する箇所の厚みが厚く形成され、ほぼ中心部から６時側に位置する箇所の厚みが薄く形成されている。これにより、上部ハウジング１３は、中心部よりも少し１２側に位置する３時側と９時側とを結ぶ直線上に位置する段差部Ｌを境にして、１２時側が一段高く、６時側が一段低く形成されている。
【００１４】
これに伴って、上部ハウジング１３上に配置される文字板１７は、図２および図３に示すように、３時側と９時側とを結ぶ直線上に位置する段差部Ｌを境にして、１２時側が一段高く、６時側が一段低く形成されている。この文字板１７は、図１に示すように、その上面における外周部に時字１７ａが等間隔で配列されている。
【００１５】
また、中間ハウジング１４には、図２および図３に示すように、指針駆動機構部６と第１の表示装置８とが平面的に並列に配置されている。すなわち、指針駆動機構部６は、中間ハウジング１４の中心部から１２時側に向けて設けられた第１機構収納部１８内に配置されている。第１の表示装置８は、横方向（３時９時方向）に長い長方形状に形成され、中間ハウジング１４の中心部と６時側との間に設けられた第１表示収納部１９内に配置されている。
【００１６】
指針駆動機構部６は、図２および図３に示すように、中間ハウジング１４に設けられた第１機構収納部１８内に上方から収納された際に、第１機構収納部１８の内周面における上部に設けられた第１当接部１８ａに、指針駆動機構部６の外周面における上部に設けられた第１突起部６ａが上方から当接することにより、中間ハウジング１４の第１機構収納部１８内に配置されるように構成されている。
【００１７】
この指針駆動機構部６は、図２および図３に示すように、その指針軸７が中間ハウジング１４の中心部から上部ハウジング１３および文字板１７の各中心部に設けられた貫通孔６ａを通して文字板１７の上方に突出し、この突出した指針軸７の上端部に指針５が取り付けられ、この状態で図１に示すように、指針５が文字板１７の上方で運針して時字１７ａを指示することにより、時刻を指示表示するように構成されている。
【００１８】
この場合、指針軸７は、図２および図３に示すように、上部ハウジング１３および文字板１７の各一段低い箇所に位置し、文字板１７の一段高い箇所の上面よりも上方に突出するように構成されている。すなわち、この指針軸７は、筒車である時針車の筒状の時針軸７ａと、この時針軸７ａ内に回転可能に配置されて上端部が時針軸７ａから上方に突出する二番車である分針車の分針軸７ｂと、を備えている。
【００１９】
この指針軸７は、図２および図３に示すように、その軸方向の長さが限られた長さ、つまり製作上の限界内において最も長く形成されている。このため、この指針軸７は、指針駆動機構部６に対して平面的に並列に配置された第１の表示装置８の上面から上方に十分な長さ、つまり文字板１７の一段低い箇所の上面から上方に十分な長さで突出し、かつ文字板１７の一段高い箇所の上面よりも上方に十分に突出するように構成されている。
【００２０】
また、指針５は、図１〜図３に示すように、時針５ａおよび分針５ｂを備え、文字板１７の一段低い箇所の上方に十分な長さで突出した指針軸７の上部に取り付けてられている。すなわち、分針５ｂは、時針５ａの長さよりも長く形成され、文字板１７の一段高い箇所の上面よりも上方に最も突出した指針軸７の分針軸７ｂの上端部に取り付けられている。
【００２１】
時針５ａは、図１〜図３に示すように、分針５ｂの長さよりも短く形成され、文字板１７の一段高い箇所の上面よりも上方に位置する指針軸７の時針軸７ａの上端部に取り付けられて、分針５ｂの下側に配置されている。この指針５は、文字板１７の全域、つまり文字板１７の一段高い箇所、および文字板１７の一段低い箇所の両方の領域上で運針するように構成されている。
【００２２】
この場合、時針５ａおよび分針５ｂである指針５は、図１、図３および図４に示すように、合成樹脂または金属によって厚みのある形状に形成されている。すなわち、この指針５は、ほぼ帯板状の針本体２１と、この針本体２１の外周部に設けられた側壁部２２と、を備えている。この場合、針本体２１は、通常の針と同じ形状か、それよりも少し幅の広い形状に形成されている。
【００２３】
すなわち、この針本体２１は、図３および図４に示すように、一端部２１ａが先細に形成され、他端部２１ｂがほぼ扇形状に形成され、この他端部２１ｂにおけるほぼ扇形状の要の部分に指針軸７が取り付けられる軸取付孔２１ｃが設けられ、ほぼ扇形状の他端部２１ｂに装飾部２１ｄが設けられた構成になっている。
【００２４】
また、側壁部２２は、図３および図４に示すように、針本体２１の外周部にその全周に亘って垂下された状態で形成されている。これにより、側壁部２２は、指針５全体に厚みをもたせるように構成されている。このため、この指針５は、その側壁部２２の外表面に針本体２１と共に、色彩やマークなどの装飾（図示せず）が施されるように構成されている。
【００２５】
第１の表示装置８は、図２および図３に示すように、秒時間や分時間などの経過時間をクロノグラフで表示するものであり、液晶表示パネル、ＥＬ表示パネル（エレクトロ・ルミネッセンス表示パネル）などの平面型の表示パネルを備えている。この第１の表示装置８は、インターコネクタ２３によって回路基板１６と電気的に接続された状態で、中間ハウジング１４の第１表示収納部１９内に配置されるように構成されている。
【００２６】
すなわち、第１の表示装置８は、図３に示すように、中間ハウジング１４の第１表示収納部１９内に下側から収納された際に、第１表示収納部１９の内周面における上部に設けられた第１鍔部１９ａに第１の表示装置８の外周部おける上面が下側から当接し、この状態で外周部の下面がインターコネクタ２３によって支持されるように構成されている。
【００２７】
この場合、インターコネクタ２３は、図３に示すように、その下端部が回路基板１６の上面に設けられた接続端子（図示せず）に接触し、上端部が第１の表示装置８の外周部における下面に設けられた接続端子（図示せず）に接触することにより、回路基板１６と第１の表示装置８とを電気的に接続するように構成されている。
【００２８】
また、第１の表示装置８は、図１および図３に示すように、その表示領域が円弧状に形成され、この円弧状の表示領域内において秒時間や分時間などの経過時間情報をクロノグラフで電気光学的に表示するように構成されている。これに伴って、上部ハウジング１３の一段低い箇所には、図２および図３に示すように、第１ハウジング表示窓部２４が第１の表示装置８に対応して設けられている。この第１ハウジング表示窓部２４は、第１の表示装置８とほぼ同じ大きさの長方形状に形成されている。
【００２９】
また、文字板１７の一段低い箇所には、図１および図３に示すように、第１文字板表示窓部２５が第１の表示装置８の表示領域に対応して設けられている。すなわち、この第１文字板表示窓部２５は、第１の表示装置８の表示領域に対する円弧形状に形成されている。これにより、第１の表示装置８は、これに表示された情報が上部ハウジング１３の第１ハウジング表示窓部２４と文字板１７の第１文字板表示窓部２５とを通して上方から奥行きをもった窪んだ状態で見えるように構成されている。
【００３０】
一方、上部ハウジング１３の一段高い箇所には、図２および図３に示すように、第２の表示装置９が第１の表示装置８よりも一段高い位置で、かつ第１の表示装置８と重ならない状態で配置されている。この第２の表示装置９は、時刻、日付、曜日などの情報を文字や数字で表示するものである。
【００３１】
この第２の表示装置９は、図２および図３に示すように、横方向（３時９時方向）に長いほぼ長方形状に形成されている。この第２の表示装置９は、３時側と９時側とを結ぶ直線上に位置する段差部Ｌから１２側に位置する上部ハウジング１３の一段高い箇所の外周部を除いて、そのほぼ全域に亘って設けられた第２表示収納部２６内に配置されている。
【００３２】
すなわち、この第２の表示装置９は、図２および図３に示すように、第１の表示装置８と同様、液晶表示パネル、ＥＬ表示パネルなどの平面型の表示パネルを備え、インターコネクタ２７によって回路基板１６と電気的に接続された状態で、上部ハウジング１３の第２表示収納部２６内に配置されるように構成されている。
【００３３】
この場合、第２の表示装置９は、図２および図３に示すように、上部ハウジング１３の第２表示収納部２６内に下側から収納された際に、第２表示収納部２６内の内周面における上部に設けられた第２鍔部２６ａに、第２の表示装置９の外周部おける上面が下側から当接し、この状態で外周部の下面がインターコネクタ２７によって支持されるように構成されている。
【００３４】
この場合、インターコネクタ２７は、図３に示すように、中間ハウジング１４にその上下に貫通して設けられたコネクタ孔１４ａ内に配置され、この状態で下端部が回路基板１６の上面に設けられた接続端子（図示せず）に接触し、上端部が第２の表示装置９の外周部における下面に設けられた接続端子（図示せず）に接触することにより、回路基板１６と第２の表示装置９とを電気的に接続するように構成されている。
【００３５】
これにより、第２の表示装置９は、図２および図３に示すように、その下面が指針駆動機構部６上に接近し、上面が指針５から下側に離れた状態で、上部ハウジング１３の第２表示収納部２６内に配置されるように構成されている。この場合、第２の表示装置９は、図１、図２および図３に示すように、その表示領域が第２の表示装置９の形状よりも小さい長方形状に形成され、この小さい長方形状の表示領域内において時刻、日付、曜日などの情報を電気光学的に表示するように構成されている。
【００３６】
これに伴って、文字板１７の一段高い箇所には、図１および図３に示すように、第２文字板表示窓部２８が上部ハウジング１３の第２表示収納部２６に対応して設けられている。この第２文字板表示窓部２８は、第２の表示装置９の表示領域に対応する形状、つまり第２の表示装置９の形状よりも小さい形状の長方形状に形成されている。
【００３７】
これにより、第２の表示装置９は、図３に示すように、表示された時刻、日付、曜日などの情報が文字板１７の第２文字板表示窓部２８を通して上方から見えるように構成されている。この場合、文字板１７は、その上面が指針５の分針５よりも下側に位置する時針５ａから更に下側に離れた状態で配置されている。
【００３８】
下部ハウジング１５には、図２および図３に示すように、機能針駆動機構部１０と釦型の電池２９とが平面的に並列に配置されている。この場合、機能針駆動機構部１０は、下部ハウジング１５における６時側に設けられた第２機構収納部３０内に配置されている。釦型の電池２９は、第２機構収納部３０を除いて、下部ハウジング１５にその中心部よりも６時側から１２時側に亘る広い範囲で設けられた電池収納部３１内に配置されている。
【００３９】
すなわち、機能針駆動機構部１０は、図３に示すように、下部ハウジング１５に設けられた第２機構収納部３０内に上方から収納された際に、第２機構収納部３０の内周面における上部に設けられた第２当接部３０ａに、機能針駆動機構部１０の外周面における上部に設けられた第２突起部１０ａが上方から当接することにより、下部ハウジング１５の第２機構収納部３０内に配置されるように構成されている。
【００４０】
この機能針駆動機構部１０は、図１〜図３に示すように、タイマーモード、ストップウオッチモード、方位モード（レトログラードモード）のなどの各種のモードを機能針１１によって選択的に指示表示するものであり、機能針１１を第１の表示装置８の上方で運針させて、モードを選択して指示するように構成されている。
【００４１】
すなわち、この機能針駆動機構部１０は、図２および図３に示すように、その機能針軸１２が下部ハウジング１５の６時側に位置し、回路基板１６、中間ハウジング１４、上部ハウジング１３、および文字板１７に貫通して設けられた貫通孔３２を通して文字板１７の一段低い箇所の上方に突出し、この突出した機能針軸１２の上端部に機能針１１が取り付けられ、この状態で機能針１１が文字板１７の一段低い箇所の上方で運針するように構成されている。
【００４２】
この場合、機能針軸１２は、図２および図３に示すように、第１の表示装置８の６時側の側方を通して、第１の表示装置８の上方に突出するように構成されている。すなわち、この機能針軸１２は、その軸方向の長さが限られた長さ、つまり製作上の限界内において最も長く形成されている。これにより、機能針軸１２は、文字板１７の一段低い箇所の上面から上方に十分な長さで突出するように構成されている。
【００４３】
また、機能針１１は、図３および図４に示すように、指針５と同様、合成樹脂または金属によって厚みのある形状に形成されている。すなわち、この機能針１１は、指針５と同様、ほぼ帯板状の針本体２１と、この針本体２１の外周部に設けられた側壁部２２と、を備えている。針本体２１は、指針５と同様、通常の針と同じ形状か、それよりも少し幅の広い形状に形成されている。
【００４４】
この場合、針本体２１は、図１および図３に示すように、指針５と同様、一端部２１ａが先細に形成され、他端部２１ｂが幅広に形成され、この他端部２１ｂにおける幅広の中心部に軸取付孔２１ｃが設けられ、幅広の他端部２１ｂが装飾性を有する形状に形成されるように構成されている。
【００４５】
また、側壁部２２は、図３に示すように、指針５と同様、針本体２１の外周部にその全周に亘って垂下された状態で形成されている。これにより、側壁部２２は、機能針１１全体に厚みをもたせるように構成されている。このため、この機能針１１も、その側壁部２２の外表面に針本体２１と共に、色彩やマークなどの装飾（図示せず）が施されるように構成されている。
【００４６】
この場合、機能針１１は、図２および図３に示すように、その厚み方向の下端部が文字板１７の一段高い箇所の上面よりも下側に位置し、かつ上面が文字板１７の一段高い箇所の上側に位置し、この状態で文字板１７の一段低い箇所の上方で運針するように構成されている。すなわち、この機能針１１は、第１の表示装置８よりも一段高い位置に配置された第２の表示装置９に対して平面的にほぼ並列に位置する状態で運針するように構成されている。
【００４７】
これにより、機能針１１は、図２および図３に示すように、指針５の分針５ｂの下側に位置する時針５ａよりも更に下側に位置し、この状態で時針５ａに当接することなく、文字板１７の一段低い箇所の上方で、かつ第２の表示装置９に対して平面的にほぼ並列な状態で、機能針軸１２を中心に文字板１７の上方で振れするように運針する構成になっている。
【００４８】
釦型の電池２９は、図３に示すように、下部ハウジング１５にその中心部よりも６時側から１２時側に亘る広い範囲で設けられた電池収納部３１内に下側から配置されるように構成されている。このため、この電池２９は、その設置スペースが広く設定されていることにより、電池２９の外形が大きく形成され、大型化されて大容量化されるように構成されている。
【００４９】
次に、このような腕時計の時計モジュール４の作用について説明する。
この時計モジュール４は、通常状態のときに、指針駆動機構部６の指針軸７が指針駆動機構部６によって駆動されて、指針軸７に取り付けられた指針５が、文字板１７の上方を３６０度運針しながら、文字板１７の時字１７ａを指示することにより、時刻を指示表示する。
【００５０】
このときには、指針駆動機構部６の指針軸７が、その製作上の限界内において最も長く形成され、その長さが限られた長さであっても、第１の表示装置８の上方に十分な長さで突出し、かつ第１の表示装置８よりも一段高い第２の表示装置９の上方にも十分に突出していることにより、指針５が厚みの制約を受けずに、自由な形状に形成されている。
【００５１】
このため、指針５は、合成樹脂または金属によって厚みのある形状に形成され、かつ指針５が大きく形成されていることにより、指針５が視認し易く、指示表示された時刻が視認し易くなる。すなわち、この指針５は、ほぼ帯板状の針本体２１と、この針本体２１の外周部に設けられた側壁部２２と、を備えた構成であることにより、指針５に厚みをもたせて指針５を大きく形成することができるので、指針５を視認し易くして、存在感のある指針５が実現できる。
【００５２】
この場合、指針５は、針本体２１のほぼ扇形状の他端部２１ｂに装飾部２１ｄが設けられ、側壁部２２の外表面に針本体２１と共に色彩やマークなどの装飾（図示せず）が施されることにより、指針５の装飾性を向上させると共に、デザイン性を向上させて、より一層、存在感のある指針５が実現できる。
【００５３】
また、このときには、第１の表示装置８に秒時間や分時間などの経過時間情報がクロノグラフで表示され、この表示された情報が、上部ハウジング１３に設けられた長方形状の第１ハウジング表示窓部２４、および文字板１７に設けられた円弧形状の第１文字板表示窓部２５を通して、上方から見えるので、第１の表示装置８に表示された秒時間や分時間などの経過時間情報がクロノグラフで視認できる。
【００５４】
この場合、第１の表示装置８は、第１ハウジング表示窓部２４と第１文字板表示窓部２５とによって、第１の表示装置８に表示された秒時間や分時間などの経過時間情報が奥行き感をもって窪んだ状態で見えることにより、この奥行き感によって第１の表示装置８に表示された情報が立体的に表示されて、デザイン性が高められる。
【００５５】
また、第２の表示装置９には、時刻、日付、曜日などの情報が文字や数字で表示され、この表示された情報が、文字板１７に第２の表示装置９の形状よりも小さい長方形状で設けられた第２文字板表示窓部２８を通して上方から見えるので、第２の表示装置９に表示された時刻、日付、曜日などの情報が視認できる。
【００５６】
この場合、上部ハウジング１３は、その中心部よりも少し１２時側に位置する３時側と９時側とを結ぶ直線上に位置する段差部Ｌを境にして、１２時側が一段高く、６時側が一段低く形成されている。これに伴って、上部ハウジング１３上に配置される文字板１７は、３時側と９時側とを結ぶ直線上に位置する段差部Ｌを境にして、１２時側が一段高く、６時側が一段低く形成されている。
【００５７】
これにより、第１の表示装置８に表示された秒時間や分時間などの経過時間情報と、第２の表示装置９に表示された時刻、日付、曜日などの情報とが、高低差をもって見えるので、第１の表示装置８と第２の表示装置９とにそれぞれ表示された各情報が文字板１７と共に立体的に表現されることになり、これによりデザイン性が向上する。
【００５８】
さらに、このときには、機能針駆動機構部１０の機能針軸１２に取り付けられた機能針１１が、機能針駆動機構部１０によって駆動されて、文字板１７の一段低い箇所の上方で、機能針軸１２を中心に横方向に振れるように運針することにより、タイマーモード、ストップウオッチモード、方位モード（レトログラードモード）などの各種のモードを選択的に指示表示する。
【００５９】
この場合、機能針１１は、指針駆動機構部６に対して平面的に並列に配置された第１の表示装置８の上方で、かつ指針駆動機構部６の指針５の下側に位置した状態で運針することにより、機能針１１が指針５に当接することがなく、第１の表示装置８の上方に機能針１１の運針領域が広く設置され、この広い領域内で機能針１１が運針する。
【００６０】
また、この機能針１１は、指針駆動機構部６に対して並列に配置された第１の表示装置８よりも一段高い位置に配置された第２の表示装置９に対して平面的にほぼ並列に位置する状態で運針することにより、第２の表示装置９に表示された時刻、日付、曜日などの情報を機能針１１が遮ることがなく、機能針１１が指針５と第１の表示装置８との間に設置されて、機能針１１が指針５に接触することなく、高低差をもって運針する。
【００６１】
このため、機能針１１は、指針５と同様、合成樹脂または金属によって厚みのある形状に形成され、かつ大きく形成されることにより、機能針１１が視認し易くなり、タイマーモード、ストップウオッチモード、方位モードなどの各種のモードのうち、機能針１１で指示されたモードが視認し易くなる。
【００６２】
すなわち、この機能針１１も、指針５と同様、ほぼ帯板状の針本体２１と、この針本体２１の外周部に設けられた側壁部２２と、を備えた構成であることにより、機能針１１に厚みをもたせて機能針１１を大きく形成することができ、これにより機能針１１を視認し易くして、存在感のある機能針１１が実現できる。
【００６３】
この場合にも、機能針１１は、針本体２１の幅広の他端部２１ｂが装飾を有する形状に形成され、側壁部２２の外表面に針本体２１と共に色彩やマークなどの装飾（図示せず）が施されることにより、指針５と同様、機能針１１の装飾性を向上させると共に、デザイン性を向上させて、より一層、存在感のある機能針１１が実現できる。
【００６４】
このように、この腕時計の時計モジュール４によれば、指針５が取り付けられた指針軸７を駆動させて指針５を運針させる指針駆動機構部６と、この指針駆動機構部６に対して並列に配置され、かつ情報を表示する第１の表示装置８と、を備えていることにより、指針軸７の長さを短くでき、指針５のデザイン性を向上させ、かつ存在感のある指針５を実現することができる。
【００６５】
すなわち、この腕時計の時計モジュール４では、指針５を運針させる指針駆動機構部６の指針軸７の長さが限られた長さであっても、指針軸７を指針駆動機構部６に対して平面的に並列に配置された第１の表示装置８よりも、上方に十分な長さで突出させることができるので、指針５が厚みの制約を受けずに、指針５を自由な形状に形成することができ、これにより指針５のデザイン性を向上させることができ、存在感のある指針５を実現することができる。
【００６６】
この場合、指針駆動機構部６と第１の表示装置８とは、上部ハウジング１３の下部に配置された中間ハウジング１４に平面的に並列に配置されていることにより、指針駆動機構部６の指針軸７の長さが限られた長さであっても、指針軸７を第１の表示装置８が配置された中間ハウジング１４の上面よりも上方に十分な長さで確実にかつ良好に突出させることができ、これにより指針５を第１の表示装置８の上方で良好に運針させることができる。
【００６７】
また、この指針駆動機構部６は、指針軸７を駆動させて指針５を上部ハウジング１３上に配置された文字板１７の上方で運針させることにより、文字板１７の外周部に設けられた時字１７ａを指針５によって確実にかつ良好に指示することができるので、現在時刻を正確にかつ良好に知ることができると共に、文字板１７と第１の表示装置８とによって立体感のある時計が実現できる。
【００６８】
また、第１の表示装置８は、秒時間や分時間などの経過時間情報がクロノグラフで表示されることにより、この表示された情報を、上部ハウジング１３の第１ハウジング表示窓部２４、および文字板１７の第１文字板表示窓部２５を通して上方から見ることができるので、第１の表示装置８にクロノグラフで表示された秒時間や分時間などの経過時間情報を確実にかつ良好に視認することができる。
【００６９】
この場合、上部ハウジング１３の第１ハウジング表示窓部２４は、第１の表示装置８の形状とほぼ同じ大きさの長方形状に形成され、文字板１７の第１文字板表示窓部２５は、第１の表示装置８の表示領域と同じ形状の円弧形状に形成されていることにより、第１ハウジング表示窓部２４と第１文字板表示窓部２５とで、第１の表示装置８に表示される情報の表示領域のデザイン性を高めることができる。
【００７０】
また、この時計モジュール４では、第１ハウジング表示窓部２４と第１文字板表示窓部２５とによって、第１の表示装置８に表示された秒時間や分時間などの情報に奥行き感をもたせることができ、この奥行き感によって第１の表示装置８に表示された情報を立体的に表示することができるので、これによってもデザイン性を高めることができる。
【００７１】
また、この腕時計の時計モジュール４では、指針５の厚みが厚く形成されていることにより、指針５の視認性が良く、かつ指針５のデザイン性を向上させることができる。すなわち、指針５は、合成樹脂または金属によって厚みのある形状で、大きく形成することができるので、指針５を視認し易くすることができ、これにより指示表示された時刻を確実にかつ良好に視認することができる。
【００７２】
この場合、指針５は、ほぼ帯板状の針本体２１と、この針本体２１の外周部に設けられた側壁部２２と、を備えた構成であることにより、指針５に厚みをもたせることができると共に、指針５を大きく形成することができ、これにより指針５を、より一層、視認し易くすることができるので、存在感のある指針５を実現することができる。
【００７３】
また、この指針５は、針本体２１のほぼ扇形状の他端部２１ｂに装飾部２１ｄを設けることができると共に、側壁部２２の外表面に色彩やマークなどの装飾（図示せず）を針本体２１と共に施すことができるので、指針５の装飾性を向上させることができると共に、デザイン性を向上させることができ、これにより、より一層、存在感のある指針５を実現することができる。
【００７４】
また、この時計モジュール４では、指針駆動機構部６に対して平面的に並列に配置された第１の表示装置８よりも一段高い位置に、第１の表示装置８と重ならない状態で配置された第２の表示装置９を備えていることにより、第１の表示装置８と第２の表示装置９とで異なる情報を立体的にかつ良好に表示することができる。
【００７５】
すなわち、第２の表示装置９は、第１の表示装置８よりも一段高い位置で、かつ第１の表示装置８と重ならない状態で配置されていることにより、第１の表示装置８に表示された秒時間や分時間などの経過時間情報と、第２の表示装置９に表示された時刻、日付、曜日などの情報とを、高低差をもって、表示することができ、これにより第１の表示装置８と第２の表示装置９とに表示された異なる情報を立体的に表現することができるので、これによってもデザイン性の向上を図ることができる。
【００７６】
この場合、指針駆動機構部６の指針軸７は、指針駆動機構部６に対して平面的に並列に配置された第１の表示装置８よりも、上方に十分な長さで突出されていることにより、指針軸７を第２の表示装置９の上方に確実に突出させることができ、これにより指針軸７に取り付けられた指針５を第２の表示装置９の上方で良好に運針させることができると共に、指針５の厚みを厚く形成することができる。
【００７７】
また、この時計モジュール４では、指針駆動機構部６に対して平面的に並列に配置された第１の表示装置８の上方で、かつ指針駆動機構部６の指針５の下側に位置した状態で運針する機能針１１を備えていることにより、機能針１１が指針５に当接することがなく、機能針１１を第１の表示装置８の上方で良好に運針させることができると共に、機能針１１によってタイマーモード、ストップウオッチモード、方位モード（レトログラードモード）などの各種のモードのいずれかを確実に選択して良好に指示表示することができる。
【００７８】
この場合、機能針１１は、指針駆動機構部６に対して並列に配置された第１の表示装置８よりも一段高い位置に配置された第２の表示装置９に対して平面的にほぼ並列に位置する状態で運針することにより、第２の表示装置９に表示された時刻、日付、曜日などの情報を機能針１１が遮ることがなく、第２の表示装置９よりも一段低い第１の表示装置８の上方で機能針１１を良好に運針させることができる。
【００７９】
これにより、この時計モジュール４では、第１の表示装置８の上方に機能針１１の運針領域を広く設置することができるので、機能針１１を広い範囲で良好に運針させることができると共に、機能針１１が第２の表示装置９に対して平面的にほぼ並列に位置する状態で運針するので、機能針１１を指針５と第１の表示装置８との間に確実にかつ良好に設置することができ、これにより指針５と機能針１１とに高低差をもたせることができるので、これによってもデザイン性が良く、かつ時計モジュール４全体をコンパクトに構成することができる。
【００８０】
また、この時計モジュール４では、指針駆動機構部６に対して平面的に並列に配置された第１の表示装置８の下側に、機能針１１が取り付けられた機能針軸１２を駆動させて機能針１１を運針させる機能針駆動機構部１０が配置されていることにより、第１の表示装置８の設置位置の制約を受けずに、機能針駆動機構部１０を良好に設置することができると共に、第１の表示装置８の側方を通して機能針軸１２を第１の表示装置８の上方に確実にかつ良好に突出させることができる。
【００８１】
この場合にも、機能針軸１２は、その軸方向の長さが限られた長さ、つまり製作上の限界内において最も長く形成されていることにより、機能針軸１２を文字板１７の一段低い箇所の上面から上方に十分な長さで突出させることができる。このため、機能針１１の厚みを厚く形成することができるので、機能針１１の視認性およびデザイン性を向上させることができる。
【００８２】
すなわち、機能針１１は、指針５と同様、合成樹脂または金属によって厚みのある形状で、大きく形成することができるので、機能針１１を視認し易くすることができ、これにより存在感のある機能針１１を実現することができると共に、機能針１１によって指示表示されたモードを確実にかつ良好に視認することができる。
【００８３】
この場合にも、機能針１１は、指針５と同様、ほぼ帯板状の針本体２１と、この針本体２１の外周部に設けられた側壁部２２と、を備えた構成であることにより、機能針１１に厚みをもたせて機能針１１を大きく形成することができ、これにより機能針１１を視認し易くすることができ、存在感のある機能針１１を実現することができる。
【００８４】
また、この機能針１１では、針本体２１の幅広の他端部２１ｂを装飾性のある形状に形成することができると共に、側壁部２２の外表面に色彩やマークなどの装飾（図示せず）を針本体２１と共に施すことができるので、機能針１１の装飾性を向上させることができると共に、デザイン性を向上させることができ、これにより、より一層、存在感のある機能針１１を実現することができる。
【００８５】
さらに、この時計モジュール４では、機能針駆動機構部１０に対して平面的に並列に配置された釦型の電池２９を備えていることにより、機能針駆動機構部１０の設置スペースを除いて、電池２９の設置スペースを広い面積で設けられることができ、これにより電池２９の大型化を図り、電池２９の大容量化を図ることができると共に、時計モジュール４全体をコンパクトに構成することができる。
【００８６】
なお、上述した実施形態では、機能針駆動機構部１０の機能針１１がタイマーモード、ストップウオッチモード、方位モードなどの各種のモードを選択的に指示表示するように構成した場合について述べたが、この発明はこれに限らず、例えば月の満ち欠け、潮の満ち引きなどの他の機能を選択的に指示表示するように構成しても良い。
【００８７】
また、上述した実施形態では、第１の表示装置８が秒時間や分時間などの経過時間情報をクロノグラフで表示するように構成した場合について述べたが、この発明はこれに限らず、気温、湿度、気圧、水圧などの情報をクロノグラフや数字などで表示するように構成しても良い。
【００８８】
さらに、上述した実施形態では、第１の表示装置８が秒時間や分時間などの経過時間情報を表示し、第２の表示装置９が時刻、日付、曜日などの情報を表示するように構成した場合について述べたが、この発明はこれに限らず、第１の表示装置８が時刻、日付、曜日などの情報を表示し、第２の表示装置９が秒時間や分時間などの経過時間情報を表示するように構成しても良い。
【００８９】
なおまた、上述した実施形態では、腕時計に適用した場合について述べたが、この発明は必ずしも腕時計である必要はなく、例えばトラベルウオッチ、目覚まし時計、置き時計、掛け時計などの各種の時計に適用することができる。また、この発明は、必ずしも時計である必要はなく、携帯電話機、携帯情報端末機などの電子機器にも広く適用することができる。
【００９０】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００９１】
（付記）
請求項１に記載の発明は、指針が取り付けられた指針軸を駆動させて前記指針を運針させる指針駆動機構部と、前記指針駆動機構部に対して並列に配置され、かつ情報を表示する表示部と、を備えていることを特徴とするモジュールである。
【００９２】
請求項２に記載の発明は、請求項１に記載のモジュールにおいて、前記指針駆動機構部に対して並列に配置された前記表示部よりも一段高い位置に、前記表示部と重ならない状態で配置された他の表示部を備えていることを特徴とするモジュールである。
【００９３】
請求項３に記載の発明は、請求項１または請求項２に記載のモジュールにおいて、前記指針駆動機構部に対して並列に配置された前記表示部の上方で、かつ前記指針駆動機構部の前記指針の下側に位置した状態で運針する機能針を備えていることを特徴とするモジュールである。
【００９４】
請求項４に記載の発明は、請求項３に記載のモジュールにおいて、前記機能針は、前記指針駆動機構部に対して並列に配置された前記表示部よりも一段高い位置に配置された前記他の表示部に対してほぼ並列に位置する状態で運針することを特徴とするモジュールである。
【００９５】
請求項５に記載の発明は、請求項３または請求項４に記載のモジュールにおいて、前記指針駆動機構部に対して並列に配置された前記表示部の下側には、前記機能針が取り付けられた機能針軸を駆動させて前記機能針を運針させる機能針駆動機構部が配置されていることを特徴とするモジュールである。
【００９６】
請求項６に記載の発明は、請求項５に記載のモジュールにおいて、前記機能針駆動機構部に対して並列に配置された釦型の電池を備えていることを特徴とするモジュールである。
【００９７】
請求項７に記載の発明は、請求項１〜請求項６のいずれに記載のモジュールを備えていることを特徴とする時計である。
【符号の説明】
【００９８】
１  腕時計ケース
４  時計モジュール
５  指針
６  指針駆動機構部
７  指針軸
８  第１の表示装置
９  第２の表示装置
１０  機能針駆動機構部
１１  機能針
１２  機能針軸
１３  上部ハウジング
１４  中間ハウジング
１５  下部ハウジング
１６  回路基板
１７  文字板
２１  針本体
２２  側壁部
２９  電池
【図１】
2018021870.tif 000003
【図２】
2018021870.tif 000004
【図３】
2018021870.tif 000005
【図４】
2018021870.tif 000006